(57)【要約】  【課題】  本考案は、従来にない、例えば喫茶店、飲食店等で販売の液体飲料に酷似したタオル製装飾品であって、その姿が愛らしく、人目をひく、ギフトやプレンゼント等にぴったりのタオル製装飾品を提供することを目的とする。【解決手段】  透明性のプラスチック製容器にタオルを挿入し、容器内のタオルが飲料用液体に見えるように形成してなるタオル製飲料用液体形態の装飾品であり、より好ましくは、かかる飲料用液体に見えるタオルの上部にクリーム形状のタオルを配置したたり、更にその上に、飾り物を配置して、より見栄えを良くしたタオル製飲料用液体形態の装飾品であることを要旨とする。  【選択図】  図１
0003114720.tif 000002
【実用新案登録請求の範囲】
【請求項１】
透明性のプラスチック製容器にタオルを挿入し、該容器内のタオルが飲料用液体に見えるように形成してなるタオル製飲料用液体形態の装飾品。
【請求項２】
前記飲料用液体がジュースであることを特徴とする請求項１記載のタオル製飲料用液体形態の装飾品。
【請求項３】
前記容器内のタオルの少なくとも見える部分が、抹茶色、黄色若しくは赤色に着色されており、それぞれを、抹茶ジュース、マンゴージュース若しくはストロベリージュースの如く見えるように形成したことを特徴とする請求項１又は２記載のタオル製飲料用液体形態の装飾品。
【請求項４】
前記容器内のタオルの少なくとも見える部分に、ゼリーが混入されているかの如きに見える模様が付されていることを特徴とする請求項１〜３のいずれかに記載のタオル製飲料用液体形態の装飾品。
【請求項５】
前記飲料用液体に見えるタオルの上部にクリーム形状のタオルを配置したことを特徴とする請求項１〜４のいずれかに記載のタオル製飲料用液体形態の装飾品。
【請求項６】
前記飲料用液体に見えるタオル若しくはクリーム形状のタオルの上部に飾り物を配置してなる請求項１〜請求項５のいずれかに記載のタオル製飲料用液体形態の装飾品。
【請求項７】
前記容器に透明プラスチック製のキャップを形成してなる請求項１〜６のいずれかに記載のタオル製飲料用液体形態の装飾品。
【請求項８】
前記容器及びその内容物の全体を透明性のフィルムで包装してなる請求項１〜７のいずれかに記載のタオル製飲料用液体形態の装飾品。
【考案の詳細な説明】
【技術分野】
【０００１】
本考案は、タオル製の装飾品、特に、その観察者に実物の飲料用液体（例えば、ジュースや炭酸飲料などの清涼飲料水等）を思い浮かばせるようなタオル製装飾品に関する。
【背景技術】
【０００２】
従来贈答用品等のタオル地は、折りたたみ方や配列の仕方を工夫して収納箱に入れ、表面は透明フィルムで用いて内容物を透視できるようにし、需要者の購買意欲を高める工夫がされていたが、中にはタオル地の風合い、厚み及び柔軟さなどの特性に着目し、タオル地を逢着したり、ピンで留めるなどして、動物のぬいぐるみや人形体に形成し、専ら観賞用に供されるものも現れていた。また、タオルよるケーキ形状の飾り物（例えば、特許文献１、２、３参照）や冠婚葬祭用のタオル製飾り花（例えば、特許文献４参照）も知られている。
【０００３】
一方、近年、ギフトやプレゼント用としてタオル地を用いる装飾品に対するニーズが高まり、人目をひき、需要者の購買意欲を高めるような新たな種類の装飾品の出現が求められている。
【特許文献１】実開平３−３９４８８号公報
【特許文献２】実開平３−２２７９５号公報
【特許文献３】実開平３−２２７９６号公報
【特許文献４】実開平４−８３０７３号公報
【考案の開示】
【考案が解決しようとする課題】
【０００４】
そこで、本考案は、従来にない、例えば喫茶店、飲食店等で販売の液体飲料に酷似したタオル製装飾品であって、その姿が愛らしく、人目をひく、ギフトやプレンゼント等にぴったりのタオル製装飾品を提供することを目的とする。
【課題を解決するための手段】
【０００５】
上記目的を達成するために鋭意研究した結果、例えば透明の飲料用容器に、ジュース等の飲料液体と同様の色に染めたタオルを挿入し、挿入の程度等によってその部分を実物の飲料液体状にすれば、恰も透明容器に飲料用液体が入っているかのように見える、実物の飲料用液体酷似のタオル製装飾品が得られることを見出し、本考案を完成させた。
【０００６】
すなわち、本考案のうち第１の考案は、透明性のプラスチック製容器にタオルを挿入し、容器内のタオルが飲料用液体に見えるように形成してなるタオル製飲料用液体形態の装飾品である。
【０００７】
本考案において、透明性のプラスチック製容器とは、中身が透視できるようなプラスチック容器であれば特に限定されないが、飲料用として一般に認識されるような形状のプラスチック容器を用いるのが好ましい。例えば、ジュースや清涼飲料水等の飲料用に使用されている透明性のプラスチック容器等が例示される。「飲料用液体に見えるようにに形成」とは、タオルを挿入し、容器内に液体が満たされているように見える状態になっていればよい。例えば、液体と見える内容物の表面は略平坦状に見え、色は実物の液体に酷似させるとよい。さらに、タオルの見える部分にゼリー状の模様を付しておけば、飲料用液体にゼリーが入っているような外観を呈することもできる。タオルの材質もタオル地であれば特に限定されないが綿を用いるのが好ましい。
【０００８】
本考案のうち第２の考案は、前記飲料用液体がジュースであることを特徴とする請求項１記載のタオル製飲料用液体形態の装飾品である。
【０００９】
この場合、容器内に挿入されたタオルが「ジュースに見えるように形成」ということになるが、そのような形状のタオルとしては、ある程度容器を満たし、その表面が略平坦状に見え、実物の色に類似の色に着色しておけばよい。例えば、実物のジュースが、抹茶ジュース、マンゴージュース若しくはストロベリージュースであれば、筒状に巻いたタオルの見える部分を抹茶色、黄色又は赤色に着色し、容器内に挿入しておけばよい（下記第３の考案）。
【００１０】
本考案のうち第３の考案は、前記容器内のタオルの少なくとも見える部分が、抹茶色、黄色若しくは赤色に着色されており、それぞれを、抹茶ジュース、マンゴージュース若しくはストロベリージュースの如く見えるように形成したことを特徴とする第１又は第２考案記載のタオル製飲料用液体形態の装飾品であり、
第４の考案は、前記容器内のタオルの少なくとも見える部分に、ゼリーが混入されているかの如きに見える模様が付されていることを特徴とする第１〜第３考案のいずれかに記載のタオル製飲料用液体形態の装飾品であり、
第５の考案は、前記飲料用液体に見えるタオルの上部にクリーム形状のタオルを配置したことを特徴とする第１〜４考案のいずれかに記載のタオル製飲料用液体形態の装飾品である。
【００１１】
本考案のうち第６の考案は、前記飲料用液体形態若しくはクリーム形状のタオルの上部に飾り物を配置してなる第１〜第５考案のいずれかに記載のタオル製飲料用液体形態の装飾品である。
【００１２】
上部に配置する飾り物としては、イチゴ、サクランボなどの果物や花などの植物の実物又は模造品が例示できる。
【００１３】
本考案うち第７の考案は、前記容器に透明性のプラスチック製キャップを形成してなる第１〜第５考案のいずれかに記載のタオル製飲料用液体形態の装飾品である。この場合、透明性のプラスチック製キャップは、容器本体に勘合して留まるようにしておけば、前記クリーム形状のタオルや前記装飾品は、容器内に固定されるので、それらの配置形状を簡単に維持することが可能となる。
【００１４】
本考案うち第８の考案は、前記容器及びその内容物の全体を透明フィルムで包装してなる第１〜７考案のいずれかに記載のタオル製飲料用液体形態の装飾品である。この場合、容器としては容器本体の他キャップも含み、内容物としては、タオルの他、飾り物も含む。このような包装において、包装袋の口部をリボン等で結ぶと、見栄えが良くなり、商品価値を高めることができる。
【考案の効果】
【００１５】
本考案によれば、透明性の容器内に挿入されたタオルの風合い、膨らみ、色彩などによって一見恰も実物の飲料用液体（例えばジュースや炭酸飲料等の清涼飲料水）の様子を呈するので、飲み物としての愛らしい姿で人目を引き、ギフトやプレゼントにピッタリの贈答品やインテリアとしての装飾品に用いることができる。また、透明性の容器から取り出せば、タオルは展開して元の形状に復帰するので、そのままタオルとして使うことも可能であるし、第６の考案で使用した飾り物もそのまま他の用途に使用できる。
【考案を実施するための最良の形態】
【００１６】
本考案を実施するための形態は次の通りであるが、これらは本考案を実施するための形態の一例に過ぎず、本考案はこれらの実施の形態に限定されるものではない。
【００１７】
（実施の形態１）
図１（ａ）は本考案に係るタオル製飲料用液体形態の装飾品の一例であり、容器本体４に挿入された飲料用液体形態のタオル地３にクリーム形状のタオル地１３を配置し、さらにその上にサクランボの飾り物７を配置し、キャップ５を取り付けたタオル製装飾品であり、また図１（ｂ）はこれを透明フィルムの袋に挿入して包装し、挿入口付近を飾り紐等で縛ると共にその縛り部分にリボン９やラベル８を取り付け、包装品として完成させたものである。
【００１８】
この場合、図１（ａ）のタオル製装飾品は、図２に示す矩形のタオル地１を幅方向に３等分した同図の２本の点線に沿って中央方向に折り返してタオル地の三重層から成る矩形状２とし、この矩形状タオル地２を同図右横の螺旋形矢印で示す如く丸めて筒状のタオル地３（上部は略平坦状に見える。）を作成する（この場合、矩形状タオル地２の横幅が筒状タオル地３の高さと同じになるが、後者は前者に対し拡大して描いている。以下、同じ。）。一方、図２に示す正四角形状１１のタオル地の四角を同図の点線に沿って四角がタオルの中心に達するように折り返してタオル地の二重層から成る四角形状１２とし、さらにこの四角を点線に沿って同様に折り返し、内側に丸めて中央部が膨らむクリーム形状１３にする（クリーム形状１３は、四角形状１２に対し、拡大して描いている。以下、同じ。）。最後に筒状のタオル地３を透明容器４に挿入するとこれが飲料用液体形態となり、その上にクリーム形状のタオル地１３を配置し、その上にサクランボの模造品７を配置し、最後に透明プラスチック製キャップ５を被せ、容器本体に勘合させて留めると、容器内の内容物は固定されて完成する。
【００１９】
前記キャップ５には、ストロー挿入用の穴６を設けると、より現実味を帯びるし、ストローを差し込んでおいてもよい。なお、キャップ５を使用しない場合、筒状タオル地３の螺旋形の溝（重なり部分の狭い空間）にクリーム形状タオル地１３の一部を挟み込んだり、双方を接着材、粘着テープ、縫製或いは針金などの固定手段を用いて固定しても良い。クリーム形状タオル地１３と飾り物７の固定も同様の固定手段を用いて固定することができる。
【００２０】
ここで、前記筒状タオル地３の上部にクリーム形状のタオル地１３を配置するのは、実物のクリーム付き飲料用液体（例えば、ジュースやサイダー等の炭酸飲料）などに酷似させるためである。したがって、この場合、筒状タオル地の大きさや色、クリーム形状のタオル地の大きさや色、及び透明容器の形状や色は、実物に酷似させるのが好ましい。
【００２１】
また、図１（ｂ）に示すように、図１（ａ）のタオル製飲料用液体形態の装飾品を透明フィルムの袋１０に入れ、装飾針金などの塑性物で挿入口を縛る共にリボン９やラベル８等を配置してもよいのはもちろんである。このようにすると美麗で、美味しそうに見え、装飾用として、より見栄えの良いものとなる。
【００２２】
（実施の形態２）
図１（Ｃ）は本考案に係るのタオル製飲料用液体形態の装飾品の他の例であり、容器本体２４に挿入された飲料用液体形態のタオル地２３に、ゼリーが混入されているかの如きに見える模様２５を付し、キャップ５を取り付けたタオル製装飾品である。
【００２３】
図１（Ｃ）のタオル製装飾品は、図３に示すゼリー状の四角模様２５を付した矩形のタオル地２１を３等分した同図の２本の点線に沿って中央方向に折り返してタオル地の三重層から成る矩形状２２とし、この矩形状タオル地２２を同図横の螺旋形矢印の如く丸めて筒状のタオル地２３（上部側面にゼリー状の模様２５が現れる。）を作成する（この場合、矩形状タオル地２２の横幅が筒状タオル地２３の高さと同じになるが、後者は前者に対し拡大して描いている。以下、同じ。）。次にこの筒状のタオル地２３を透明容器２４に挿入すると、これが飲料用液体形態の外観を呈し、前記模様２５によりこの液体にゼリーが混入されているように見える効果を奏する。このままでも装飾品として使用できるが、最後にこの装飾品に適した形状の透明プラスチック製キャップを被せるとよい。キャップの中央には、ストロー挿入用の穴を設けるとより現実味を帯びるし、ストローを差し込んでおいてもよい。
【００２４】
なお、このゼリー状模様を付した飲料用液体形態のタオル地２３の上に、図１（ａ）に示すようなクリーム形状のタオル地１３を配置し、その上に同図のサクランボの模造品７を配置し、最後に同図のキャップ５を被せ、容器本体２４に勘合させて留め、容器内の内容物を固定し、さらには、これを図１（ｂ）の透明フィルムの袋１０に挿入して包装し、実施の形態１と同様に、より複雑な形態にして装飾効果を高めてもよいのは、もちろんである。
【実施例】
【００２５】
以下、本発明を、実施例を用いてより具体的に説明するが、本発明はこれらの実施例に限定されるものではない。
【００２６】
（実施例１）
縦が３５０ｍｍ、横が３４０ｍｍの図２のタオルハンカチ１を、実施の形態１で説明したように、タオル地の三重層から成る矩形状２とし、この矩形状タオル地２を同図横の矢印の如く丸めて筒状のタオル地３（上部は略平坦状に見える。）を作成する。一方、図２に示す縦が横がそれぞれ２００ｍｍ正四角形状１１のタオル地の四角を同図の点線に沿って四角がタオルの中心に達するように同方向に折り返してタオル地の二重層から成る四角形状１２とし、さらにこの四角を点線に沿って同様に折り返し、内側に丸めて中央部が膨らむクリーム形状１３にする。次に筒状のタオル地３をＰＥＴ製の透明容器４に挿すると筒状のタオル地３は飲料用液体形態の外観を呈するが、その上にクリーム形状のタオル地１３を配置し、その上にサクランボの模造品７を配置し、最後にＰＥＴ製のキャップ５を容器本体４に勘合させて留めると、図１（ａ）に示すようなタオル製装飾品が得られる。
【００２７】
この場合、クリーム形状のタオル地２の色はホワイトを用い、筒状のタオル地３の色は、抹茶色、黄色若しくは赤色を採用すると、それぞれ、抹茶ジュース、マンゴージュース又はストロベリージュースの外観を呈する装飾品となる。
【００２８】
次に、これらのタオル製装飾品を幅が１３０ｍｍ、高さが２２３ｍｍの透明ポリプロピレンフィルムの袋１０に入れ、黄金色の飾りテープで被覆した細針金を用いて袋の挿入口を縛ると共に、そこに赤のリボン９とラベル８を配置した。このようにすると美麗で、美味しそうに見えかつ見栄えの良い図１（ｂ）に示すようなタオル製装飾品が得られる。
【００２９】
（実施例２）
図３に示すように、３等分した２本の点線の折り目付近に、ゼリー状の模様（四角模様）をジャカード織により設けた縦が３５０ｍｍ、横が３４０ｍｍの矩形のタオルハンカチ２１を、点線に沿って中央方向に折り返してタオル地の三重層から成る矩形状２２とし、この矩形状タオル地２２を同図横の矢印の如く丸めて筒状のタオル地２３（上部側面にゼリー状の模様２５が現れる。）を作成する。次にこの筒状のタオル地２３を透明容器２４に挿入すると、当該挿入品は、飲料用液体形態の外観を呈し、前記模様２５の存在によって、液体にゼリーが混入されているかのように見える状態となる。
【００３０】
なお、このゼリー状模様を付した飲料用液体形態のタオル地２３の上に、図１（ａ）に示すようなクリーム形状のタオル地１３を配置し、その上に同図のサクランボの模造品７を配置すると共に、実施例１と同様に、ＰＥＴ製キャップ５をＰＥＴ製容器本体２４に被せて、容器内の内容物を固定すると、さらには、これを図１（ｂ）の透明ポリプロピレンフィルムの袋１０に挿入して包装すると、より見栄えの良いタオル製装飾品とすることもできる。
【００３１】
また、実施例１，２のいずれの場合も内容物のタオルを透明容器から取り出せば、タオルは展開して元の形状に復帰するので、そのままタオルとして使うことも可能であるし、イチゴ模造品などの飾り物もマグネット付きにすると、本ケーキ型タオル製品の解体後もメモクリップ等として、再利用できるメリットがある。
【産業上の利用可能性】
【００３２】
本考案は、タオル製装飾品、特にタオル製飲料用液体形態の装飾品であって、室内装飾用としての置物や装飾用としての贈答品に好適に用いられるものである。
【図面の簡単な説明】
【００３３】
【図１】は、本考案に係るタオル製飲料用液体形態の装飾品の一例であって、（ａ）は液体ジュース上にクリームを更にその上にサクランボを配置したクリーム付きジュース形態のタオル製装飾品の斜視図、（ｂ）は（ａ）を透明フィルムの袋に挿入して包装し、包装品として完成させたものの斜視図であり、（ｃ）は本考案に係るタオル製飲料用液体形態の装飾品の他の例であって、ジュースにゼリーを混入したゼリー混入ジュース形態のタオル製装飾品の斜視図である。
【図２】は、前記クリーム付きジュース形態のタオル製装飾品の製造過程を示す図であり、
【図３】は、前記のゼリー混入ジュース形態のタオル製装飾品の製造過程を示す図である。
【符号の説明】
【００３４】
１、２１    矩形タオル地
２、２２    三つ折りされた矩形タオル地
３、２３    筒状タオル地
４、２４    飲料用透明容器
５          透明キャップ
６          ストロー差込用穴
７          飾り物
８          ラベル
９          リボン
１０          透明袋
１１          正四角形タオル地
１２          四角が折り返されたタオル地
１３          クリーム形状タオル地
２５          ゼリー状模様
【図１】
0003114720.tif 000003
【図２】
0003114720.tif 000004
【図３】
0003114720.tif 000005